(57)【要約】飲料ディスペンサー用の大型容器の重量を軽くするために、革新的ネック（３０１）構成が提案される。ネック（３０１）は、容器の広口（３０２）から始めて環状サポートリング（３０５）までの長さ（Ｌｔｏｔ）で延びるネックフィニッシュ（３０３）と、環状サポートリング（３０５）を容器の本体（３０９）につなぐスムーズな面の円筒部分（３０６）と、を備える。機能的な理由で、革新的ネック（３０１）の全長（Ｌｔｏｔ）は、この種の容器用の通常の従来のネックと同じままであるが、ネックフィニッシュ（３０３）の短い長さ（Ｌｔｏｔ）および前記の円筒部分（３０６）により、軽量化される。【選択図】図４
2017534491.tif 000002
【特許請求の範囲】
【請求項１】
熱可塑性プリフォームであって、飲料ディスペンサーで使用するのに適した広口容器をブロー工程によって得るように構成され、
プリフォームは、軸Ｘを定め、軸Ｘに同軸の本体（３０９）とネック（３０１）とを備え、
ネック（３０１）は、円筒内面を有し、前記円筒内面は、前記ブロー工程で変わらないままであるように構成され、軸Ｘに沿った全長Ｌｔｏｔを有し、一方、本体（３０９）は、前記容器の形状をとるように前記ブロー工程でブローされるように構成され、
前記ネック（２０５）は、
ネックフィニッシュ（３０３）であって、飲料注出用の開口（３０２）が設けられ、前記全長Ｌｔｏｔの一部である第１軸方向長さＬ１を有する、ネックフィニッシュと、
サポートリング（３０５）と、
前記全長Ｌｔｏｔの一部である第２軸方向長さＬ２を有する円筒部分（３０６）と、
を備え、
サポートリング（３０５）は、ネックフィニッシュ（３０３）と円筒部分（３０６）との間に配置される、
円筒部分（３０６）は、本体（３０９）とサポートリング（３０５）との間に配置される、および
前記第２軸方向長さＬ２は、前記第１軸方向長さＬ１に少なくとも等しい、
熱可塑性プリフォーム。
【請求項２】
請求項１に記載のプリフォームであって、前記第２軸方向長さは、前記第１軸方向長さよりも１．２〜３倍大きい、プリフォーム。
【請求項３】
請求項１または２に記載のプリフォームであって、前記第１軸方向長さは、１２〜１５ミリメートルに含まれる、プリフォーム。
【請求項４】
請求項１〜３のいずれか１項に記載のプリフォームであって、ネックフィニッシュ（３０３）の重量は、９〜１２グラムに含まれる、プリフォーム。
【請求項５】
請求項１〜４のいずれか１項に記載のプリフォームであって、ネックは、２０〜２８グラムの重量を有する、プリフォーム。
【請求項６】
請求項１〜５のいずれか１項に記載のプリフォームであって、口部は、５３〜５８ミリメートルに含まれる外径を有する、プリフォーム。
【請求項７】
請求項１〜６のいずれか１項に記載のプリフォームであって、ネックフィニッシュには、少なくとも２つの環状隆起（３０７，３０８）が設けられている、プリフォーム。
【請求項８】
請求項１〜７のいずれか１項に記載のプリフォームであって、円筒部分（３０６）は、外側円筒壁と内側円筒壁とを備え、外側円筒壁と内側円筒壁とは互いに同軸である、プリフォーム。
【請求項９】
請求項７に記載のプリフォームであって、外側円筒壁の表面および／または内側円筒壁の表面は、スムーズで、突出部がない、プリフォーム。
【請求項１０】
請求項１〜９のいずれか１項に記載のプリフォームであって、前記容器は、５リットル〜３０リットルに含まれる容量を有する、プリフォーム。
【請求項１１】
請求項１〜１０のいずれか１項に記載のプリフォームから得られた容器。
【発明の詳細な説明】
【技術分野】
【０００１】
本発明は、飲料を入れるための、および飲料ディスペンサーに挿入して使用するように構成された、特にＰＥＴで作られている、プラスチック容器用のネックに関する。
【背景技術】
【０００２】
冷水ディスペンサーは、オフィスおよび工場でよくあるアイテムであり、便利で容易に調達できる飲料水源を提供する。ウォーターディスペンサーは、例えばポリカーボネート、ＰＥＴ等の合成高分子材料で作られている返却可能なまたは使い捨ての水容器を一般に利用する。
【０００３】
ＰＥＴ容器は、他の材料に比べて比較的軽量であるという利点を有し、ブロー成形の工程によって大量に製造可能である。環境を大切にすることは、特に使い捨ての容器の重量を軽くすることを必要とする。さらに、ＰＥＴは、比較的値段が高い材料でもあり、従って可能な限り軽量である容器の開発は、非常に重要である。これらの容器の軽量化では、水を引き出す際に作り出される真空の問題が常にある。典型的に、これらの容器は、５０ｍｂａｒ〜７５ｍｂａｒの範囲の最大真空圧力に耐える必要がある。この真空圧力に対する耐性は、例えば容器の物質分布、重量、形状、リブおよび設計などの様々な要因によって与えられる。従って、これらの容器の軽量化は、企業に新しい解決策を見つけるために見方を広げるようせき立てる。ＰＥＴの量を制限する必要性は、壁の薄さによる脆弱性を十分に補償することができる構造を有する容器の開発につながる。非常に薄い壁を有するこの種の容器を有することが簡単でないことは、明らかである。壁を薄くすることに取り組む代わりに、またはそれに加えて、別の発想は、大型容器のネックを考えることである。通常、これらの容器は、典型的な５５ミリメートルネックフィニッシュを有し、それは約３４‐３８グラムの重量を有する。さらに、ネックの長さは、水を引き出すことができる従来型ディスペンサーに位置付けることができるように、所定値に保たれなければならない。これらの大きな水容器は、ディスペンサーに挿入されるときに、上下逆さまにされ、位置付けられてネックが漏斗の下方でディスペンサーの上部にある。従って、ネックに使用される材料の量を減らし、さらに同時にその機能性を維持する方法を見つける必要が、感じられる。
【０００４】
特許文献１は、プラスチックボトルを記載し、そのネックには、ボトルおよび／またはボトルが得られるプリフォームを扱うのに使用される、「ネックリング」としても知られる、典型的なサポートリングが設けられない。代わりに、この文献に記載されているボトルおよびプリフォームは、プリフォームおよび／またはボトルを扱うための固定リングを使用する。しかしながら、そのような構成は、特定の取扱手段を必要とし、不都合なほどに既存の取扱システムに適合させるように強いる。
【０００５】
特許文献２は、サポートリングがネックの開口から比較的離れている特定のネック構成を含むプリフォームおよびボトルを記載する。さらに、この種のネックは、追加のリングを含まず、全体として、特に軽量であるように設計されたネックではない。
【０００６】
そのような公知の構成は、特により軽いネックを有するウォーターディスペンサー用の大型ボトルの、容器のネックを提供するのに適していない。
【先行技術文献】
【特許文献】
【０００７】
【特許文献１】米国特許出願公開第２０１１／０２２５９３４号
【特許文献２】米国特許出願公開第２００６／０２０４６９４号
【発明の概要】
【発明が解決しようとする課題】
【０００８】
従って、本発明の目的は、公知の容器よりも軽い、ウォーターディスペンサー用の、例えばＰＥＴで作られている、大容量熱可塑性材料容器を作るためのプリフォームを提供することである。問題に対する解決策は、実施に関して材料を節減することができる革新的ネック構成によって提供される。従って、本発明は、飲料ディスペンサーでの使用に適した広口容器をブロー工程によって得るように構成された熱可塑性プリフォームによって、上記の目的に到達することを提案し、プリフォームは、軸Ｘを定め、軸Ｘに同軸の本体とネックとを備え、ネックは、円筒内面を有し、円筒内面は、前記のブロー工程で変わらないままであるように構成され、軸Ｘに沿った全長Ｌｔｏｔを有し、一方、本体は、前記の容器の形状をとるように前記のブロー工程でブローされるように構成され、前記のネックは、
‐ネックフィニッシュであって、飲料注出用の開口が設けられ、前記の全長Ｌｔｏｔの一部である第１軸方向長さＬ１を有する、ネックフィニッシュと、
‐サポートリングと、
‐前記の全長Ｌｔｏｔの一部である第２軸方向長さＬ２を有する円筒部分と、
を備え、
‐サポートリングは、ネックフィニッシュと円筒部分との間に配置される、
‐円筒部分は、本体とサポートリングとの間に配置される、および
‐前記の第２軸方向長さＬ２は、前記の第１軸方向長さＬ１に少なくとも等しい。
【０００９】
好ましくは、ネックの円筒内面は、凹凸部を有しない。
【００１０】
好ましくは、本発明による容器は、５〜３０リットル（例えば１０〜２０リットル）の容量を有する。
【００１１】
プリフォームのおよびプリフォームから得ることができる容器のネックは、少なくとも部分的に互いに同一である。実際、プリフォームのネックは、少なくとも１つの軸方向長さ部分Ｌｔｏｔを有し、それは、ブローの対象ではなく、従ってその初期形状をブロー工程の終わりでも維持する。
【００１２】
本発明のさらなる特徴および利点は、以下の図を用いて、非限定的例として示されるウォーターディスペンサー用の容器のおよびＰＥＴプリフォームの好ましいが排他的でない実施形態の詳細な説明を踏まえると、より明らかになる。
【図面の簡単な説明】
【００１３】
【図１】従来技術のネックを示す。
【図２ａ】従来技術のプリフォームを示す。
【図２ｂ】本発明の第１変形によるプリフォームを示す。
【図３】本発明によるネックフィニッシュを示す。
【図４】本発明の第２変形によるプリフォームの前面図を示す。
【図５】図４のプリフォームの長手方向断面を示す。
【図６】図４のプリフォームから始まって得られた容器の前面図を示す。
【発明を実施するための形態】
【００１４】
本発明は、従来技術のネックよりもはるかに軽い構造を有する革新的ネック構成を有する、例えばＰＥＴで作られている、熱可塑性材料プリフォームに関する。本発明は、ブロー成形の工程によってそのようなプリフォームから得られるウォーターディスペンサー用の容器にも関する。
【００１５】
本発明の利点をより良く認識するために、従来技術によるネックフィニッシュ１０２を示す図１が、比較のために提供される。広口開口１０１からサポートまたはネックリング１０５までの従来の５５ミリメートルの外径を有するネックフィニッシュ１０２の高さまたは軸方向長さは、約４７ミリメートルであり、重量は約３４‐３８グラムである。「ネックフィニッシュ」とは、ネック開口１０１によって定められる平面と、サポートリング１０５の底部によって定められる平面と、の間に含まれる部分を指す。ネックフィニッシュ１０２の軸方向長さには、隆起が配置され、キャップによって容器を閉じ、コンベヤーベルトに沿っておよび型内にあるときにそれを支持することができるようにする。ネックフィニッシュ１０２は、ブロー成形工程の際に無延伸領域であり、特に直径および軸方向長さに関して、典型的に標準全体寸法を有する。
【００１６】
本発明の根底にある発想は、革新的な方法でサポートリングを位置付けることであり、このようにして、相当な方法で、ネックの全長、および結果としてその重量を減らすのに寄与する。前述したように、ネックの高さは、好ましくは機能的な目的で所定値に保たれる。
【００１７】
革新的ネックの構成は、図２にさらに詳しく記載される。図２ａは、従来技術によるプリフォーム２００を示す。プリフォーム２００は、約５５ミリメートルに相当する最大外径のネックフィニッシュ２０３を備え、それは、プリフォームの長手方向軸に沿って口部２０２からサポートリング２０５まで約４７ミリメートルある。プリフォーム２００は本体２０９も備え、本体２０９は、サポートリング２０５から底部２１２まで延び、容器の形状を有するようにブローされるプリフォームの部分である。
【００１８】
図２ｂは、本発明によるプリフォーム３００を示す。プリフォームは、軸Ｘを定め、ネック３０１を備え、ネック３０１は、第１円筒内面を有し、第１円筒内面は、前記のブロー工程で変わらないままであるように構成され、軸Ｘに沿った全長Ｌｔｏｔを有する。
【００１９】
図２ｂの実施形態では、長さＬｔｏｔの前記の第１円筒内面のすぐ下に、軸方向長さＬ３の第２円筒内面も設けられ、それは、ブローによって拡大するように構成される代わりに、本体３０９とブローによって変形しない長さＬｔｏｔのネックの部分との間の接続範囲を定める。
【００２０】
ネック３０１は、
‐ネックフィニッシュ３０３であって、飲料注出用の開口が設けられ、前記の全長Ｌｔｏｔの一部である第１軸方向長さＬ１を有する、ネックフィニッシュ３０３と、
‐サポートリング３０５と、
‐前記の全長Ｌｔｏｔの一部である第２軸方向長さＬ２を有する円筒部分３０６と、
を備え、
サポートリング３０５は、ネックフィニッシュ３０３と円筒部分３０６との間に配置され、
円筒部分３０６は、本体３０９とサポートリング３０５との間に配置され、
前記の第２軸方向長さＬ２は、前記の第１軸方向長さＬ１に少なくとも等しい。
【００２１】
本発明によるネックフィニッシュ３０３は図３に示され、図３にはサポートリング３０５も示されている。
【００２２】
ネックフィニッシュ３０３の円筒内面は、スムーズで、突出部およびくぼみがない。
【００２３】
ネックフィニッシュ３０３は、２つの環状隆起を有し、２つの環状隆起は、広口開口３０２近くの上方隆起３０７と、サポートリング３０５の近位にある下方隆起３０８と、である。
【００２４】
長手方向軸Ｘを含む断面で見られるときに、上方隆起３０７の外形は台形状であり、好ましくは、台形状は、長手方向軸に平行な２つの辺を有し、１つの辺はネックフィニッシュの円筒外面に沿い、もう１つの辺は上方隆起３０７の最外部を形成する。上側は、広口開口の端部から始めて台形の外側で終わる、３５°の角度傾斜している。傾いたものと逆の辺は、ネックフィニッシュの円筒外面に垂直である。下方隆起３０８は、代わりに三角形状である。下方隆起３０８の下におよびサポートリング３０５の上に配置された、ネックフィニッシュ３０３の部分の外面は、ほぼスムーズで突出部がない。ネックフィニッシュ３０３の長さＬ１は、約１２‐１５ミリメートル（例えば１４ミリメートル）であり、２つの隆起３０７，３０８を備える第１部分の、および下方隆起３０８の下におよびサポートリング３０５の上に配置された第２部分の、長さの総和である。広口開口の内径は、約４４‐４８ミリメートル（例えば４６．５ミリメートル）であり、一方、最大外径は、約５３‐５８ミリメートル（例えば５４ミリメートル）である。サポートリングの外径は、約６０‐６２ミリメートルである。従来の５５ミリメートルネックフィニッシュ（従来技術）の高さは、３４‐３８グラムの重量で約４７ミリメートルであり、一方、本発明の５５ミリメートルネックのネックフィニッシュは、１０‐１１グラムの重量で１４ミリメートルである。従来の５５ミリメートルネックフィニッシュの高さが考えられるならば、すなわち、ネックサポートリングの下の円筒形の材料の量も備える本発明によるネックの全高が考えられるならば、依然として約１０グラムの減量がある。
【００２５】
この革新的５５ミリメートルネックフィニッシュは、スナップキャップ用に構成され、従って現在使用中の蓋付け機を依然として利用することができる。革新的ネックフィニッシュは、従来のネックフィニッシュと同じ機能面を有しながら、よりコンパクトである。
【００２６】
この革新的ネックフィニッシュの別の利点は、それが、より小さい５５ミリメートルスナップキャップを必要とすることであり、それは、環境を尊重する別のプラス面である。
【００２７】
本発明のプリフォームの第２実施形態は、図４および５に示されている。プリフォーム３００は、軸Ｘを定め、ネック３０１を備え、ネック３０１は、円筒内面３１１を有し、円筒内面３１１は、前記のブロー工程で変わらないままであるように構成され、軸Ｘに沿った全長Ｌｔｏｔを有する。
【００２８】
この実施形態では、長さＬｔｏｔのネック３０１のすぐ下に、軸方向長さＬ４の移行ゾーン３１０も設けられ、それは、ブローによって拡大するように構成される代わりに、本体３０９とブローによって変形しない長さＬｔｏｔのネック３０１との間の接続範囲を定める。移行ゾーン３１０は、円筒内面３１１に等しい直径の円筒内面を有し、一方、その外面は、サポートリング３０５に向かって先細りとなる円錐台面である。
【００２９】
ネック３０１は以下を備える：
‐ネックフィニッシュ３０３であって、飲料注出用の開口が設けられ、前記の全長Ｌｔｏｔの一部である第１軸方向長さＬ１を有する、ネックフィニッシュ３０３と、
‐サポートリング３０５、
‐前記の全長Ｌｔｏｔの一部である第２軸方向長さＬ２を有する円筒部分３０６と、
を備え、
サポートリング３０５は、ネックフィニッシュ３０３と円筒部分３０６との間に配置され、
円筒部分３０６は、本体３０９とサポートリング３０５との間に、好ましくは移行ゾーン３１０とサポートリング３０５との間に、配置され、
前記の第２軸方向長さＬ２は、前記の第１軸方向長さＬ１に少なくとも等しい。
【００３０】
ネックフィニッシュ３０３の円筒内面は、スムーズで、突出部およびくぼみがない。
【００３１】
ネックフィニッシュ３０３は、２つの環状隆起を有し、２つの環状隆起は、広口開口３０２近くの上方隆起３０７と、サポートリング３０５の近位にある下方隆起３０８と、である。
【００３２】
図６は、５リットル〜３０リットルに、好ましくは１０〜２０リットルに、含まれる容量を有する、図４のプリフォームからブローされた容器の例を示す。
【００３３】
上記の両実施形態では：
‐前記の第２軸方向長さＬ２は、前記の第１軸方向長さＬ１よりも１．２〜３倍大きい；
‐前記の第１軸方向長さＬ１は、１２〜１５ミリメートルに含まれる；
‐ネックフィニッシュ３０３の重量は、９〜１２グラムに含まれる；
‐ネック３０１の重量は、２０〜２８グラムに含まれる；
‐口部の直径は、５３〜５８ミリメートルに含まれる。ネックの「ネックフィニッシュ」３０３とは、ネック開口３０２によって定められる平面と、サポートリング３０５の底部によって定められる平面と、の間に含まれる部分を指す。
【００３４】
本発明は、特定の実施形態を記載することによって提示された。本発明の趣旨、すなわち、広口開口近くのおよびサポートリングで終わるより短いネックフィニッシュと、サポートリングを容器本体につなぐスムーズな面の円筒部分と、を備える大型容器用のネック、から逸脱することなく、変更が可能であることは明らかである。
【００３５】
同じ内径を維持することによって、革新的ネックフィニッシュは、充填ラインに変更を加えることを必要としない。
【図１】
2017534491.tif 000003
【図２ａ】
2017534491.tif 000004
【図２ｂ】
2017534491.tif 000005
【図３】
2017534491.tif 000006
【図４】
2017534491.tif 000007
【図５】
2017534491.tif 000008
【図６】
2017534491.tif 000009
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
熱可塑性プリフォームであって、飲料ディスペンサーで使用するのに適した広口容器をブロー工程によって得るように構成され、
プリフォームは、軸Ｘを定め、軸Ｘに同軸の本体（３０９）とネック（３０１）とを備え、
ネック（３０１）は、円筒内面を有し、前記円筒内面は、前記ブロー工程で変わらないままであるように構成され、軸Ｘに沿った全長Ｌｔｏｔを有し、一方、本体（３０９）は、前記容器の形状をとるように前記ブロー工程でブローされるように構成され、
前記ネック（３０１）は、
ネックフィニッシュ（３０３）であって、飲料注出用の開口（３０２）が設けられ、前記全長Ｌｔｏｔの一部である第１軸方向長さＬ１を有する、ネックフィニッシュと、
サポートリング（３０５）と、
前記全長Ｌｔｏｔの一部である第２軸方向長さＬ２を有する円筒部分（３０６）と、
を備え、
サポートリング（３０５）は、ネックフィニッシュ（３０３）と円筒部分（３０６）との間に配置される、
円筒部分（３０６）は、本体（３０９）とサポートリング（３０５）との間に配置される、および
前記第２軸方向長さＬ２は、前記第１軸方向長さＬ１に少なくとも等しい、
熱可塑性プリフォーム。
【請求項２】
請求項１に記載のプリフォームであって、前記第２軸方向長さは、前記第１軸方向長さよりも１．２〜３倍大きい、プリフォーム。
【請求項３】
請求項１または２に記載のプリフォームであって、前記第１軸方向長さは、１２〜１５ミリメートルに含まれる、プリフォーム。
【請求項４】
請求項１〜３のいずれか１項に記載のプリフォームであって、ネックフィニッシュ（３０３）の重量は、９〜１２グラムに含まれる、プリフォーム。
【請求項５】
請求項１〜４のいずれか１項に記載のプリフォームであって、ネックは、２０〜２８グラムの重量を有する、プリフォーム。
【請求項６】
請求項１〜５のいずれか１項に記載のプリフォームであって、口部は、５３〜５８ミリメートルに含まれる外径を有する、プリフォーム。
【請求項７】
請求項１〜６のいずれか１項に記載のプリフォームであって、ネックフィニッシュには、少なくとも２つの環状隆起（３０７，３０８）が設けられている、プリフォーム。
【請求項８】
請求項１〜７のいずれか１項に記載のプリフォームであって、円筒部分（３０６）は、外側円筒壁と内側円筒壁とを備え、外側円筒壁と内側円筒壁とは互いに同軸である、プリフォーム。
【請求項９】
請求項８に記載のプリフォームであって、外側円筒壁の表面および／または内側円筒壁の表面は、スムーズで、突出部がない、プリフォーム。
【請求項１０】
請求項１〜９のいずれか１項に記載のプリフォームであって、前記容器は、５リットル〜３０リットルに含まれる容量を有する、プリフォーム。
【請求項１１】
請求項１〜１０のいずれか１項に記載のプリフォームから得られた容器。
【国際調査報告】
2017534491.tif 000010
2017534491.tif 000011
2017534491.tif 000012